(57)【特許請求の範囲】
【請求項１】
移動通信装置であって、  サービスネットワークとの無線送信及び受信を実行する無線モジュール、及び 制御モジュールを有し、 前記制御モジュールは、 前記移動通信装置が緊急ベアラサービスのためのパケットデータネットワーク接続をせずに前記サービスネットワークにアタッチされるときは、 公衆陸上移動体ネットワーク（ＰＬＭＮ）の、互いに等価のＰＬＭＮのリストを取得し、 前記移動通信装置が再起動後に禁止ＰＬＭＮを選択しないように、禁止ＰＬＭＮリストに存在する任意のＰＬＭＮを、前記互いに等価のＰＬＭＮのリストを保存する前に当該互いに等価ＰＬＭＮのリストから除去し、 前記移動無線装置が緊急ベアラサービスのために前記サービスネットワークにアタッチされるときは、前記互いに等価のＰＬＭＮのリストを取得し、    前記移動通信装置の電源オフに応じて前記互いに等価のＰＬＭＮのリストを保存しないように、動作可能である、  移動通信装置。
【請求項２】
前記制御モジュールは、前記移動通信装置の電源オフの前に、または電源オフに応じて、無線モジュールによって前記サービスネットワークから更にデタッチされる、  請求項１に記載の移動通信装置。
【請求項３】
前記リストは、前記サービスネットワークからのアタッチ受付メッセージまたはルーティングエリアアップデート受付メッセージから得られる、  請求項１に記載の移動通信装置。
【請求項４】
移動通信装置によって等価公衆陸上移動体ネットワーク（ＰＬＭＮ）リストを処理する方法であって、 前記移動通信装置が緊急ベアラサービスのためのパケットデータネットワーク接続をせずにサービスネットワークにアタッチされるときは、 互いに等価のＰＬＭＮのリストを取得し、 前記移動通信装置が再起動後に禁止ＰＬＭＮを選択しないように、禁止ＰＬＭＮリストに存在する任意のＰＬＭＮを、前記互いに等価のＰＬＭＮのリストを保存する前に当該互いに等価ＰＬＭＮのリストから除去し、 前記移動無線装置が緊急ベアラサービスのために前記サービスネットワークにアタッチされるときは、前記互いに等価のＰＬＭＮのリストを取得し、    前記移動通信装置の電源オフに応じて前記互いに等価のＰＬＭＮのリストを保存しない、  方法。
【請求項５】
前記移動通信装置の電源オフの前に、または電源オフに応じて、前記サービスネットワークからデタッチする、  請求項４に記載の方法。
【請求項６】
前記リストは、前記サービスネットワークからのアタッチ受付メッセージまたはルーティングエリアアップデート受付メッセージから得られる、  請求項４に記載の方法。
【発明の詳細な説明】
【技術分野】
【０００１】
本出願は、２０１０年９月２９日に出願された米国仮出願番号第６１／３８７、５５１号についての優先権を主張するものであり、これらの全ては引用によって本願に援用される。
本発明は、等価公衆陸上移動体ネットワーク（ＰＬＭＮ）リストの処理に関し、特に、緊急ベアラサービスに対してアタッチを行う時に得られる等価ＰＬＭＮリストを処理する装置及び方法に関するものである。
【背景技術】
【０００２】
一般的な移動通信環境において、ユーザー端末（ＵＥ）は、携帯電話（mobile telephone）（別名、cellular または cell phone）、無線通信機能を備えたラップトップコンピュータ、またはパーソナルデジタルアシスタント（ＰＤＡ）などを含み、音声及び／またはデータ信号を１つ以上のサービスネットワークと通信させ得る。ユーザー端末とサービスネットワーク間の無線通信は、例えば、グローバルシステムフォーモバイルコミュニケーションズ（Global System for Mobile communications；ＧＳＭ（登録商標））技術、汎用パケット無線サービス（General Packet Radio Service；ＧＰＲＳ）技術、グローバル進化型高速データレート（Enhanced Data rates for Global Evolution；ＥＤＧＥ）技術、広帯域符号分割多元接続（Wideband Code Division Multiple Access；ＷＣＤＭＡ）技術、符号分割多元接続２０００（Code Division Multiple Access 2000；ＣＤＭＡ  ２０００）技術、時分割同期符号多元接続（Time Division-Synchronous Code Division Multiple Access；ＴＤ−ＳＣＤＭＡ）技術、ワイマックス（Worldwide Interoperability for Microwave Access；ＷｉＭＡＸ）技術、及びロングタームエボリューション（Long Term Evolution；ＬＴＥ）技術、ＬＴＥ−Ａｄｖａｎｃｅｄ技術など種々の無線通信技術を用いて実行され得る。
【０００３】
３ＧＰＰ仕様ＴＳ２４．００８ｖ．９．３．０（以下仕様ＴＳ２４．００８と称される）、及び３ＧＰＰ仕様ＴＳ２４．３０１ｖ．９．３．０（以下仕様ＴＳ２４．３０１と称される）、及び３ＧＰＰ仕様ＴＳ２３．１２２ｖ．９．３．０（以下仕様ＴＳ２３．１２２と称される）に準拠したＷＣＤＭＡまたはＬＴＥ技術を例にとる。ユーザー端末がアタッチ手順またはルーティングエリアアップデート手順を実行した時、アタッチ受付（ＡＴＴＡＣＨ  ＡＣＣＥＰＴ）メッセージまたはルーティングエリアアップデート受付（ＲＯＵＴＩＮＧ  ＡＲＥＡ  ＵＰＤＡＴＥ  ＡＣＣＥＰＴ）メッセージで等価公衆陸上移動体ネットワーク（ＰＬＭＮ）のリスト（または等価ＰＬＭＮリストと称される）を受信し得る。リストの各エントリは、特定のＰＬＭＮを識別するためのモバイル国コード（ＭＣＣ）及びモバイルネットワークコード（ＭＮＣ）からなるＰＬＭＮコードを含み、ユーザー端末は、ＰＬＭＮ選択手順、セル選択／再選択手順、及び／またはハンドオーバー手順を実行する時に、互いに等価のリストでＰＬＭＮを処理しなければならない。また、ユーザー端末は、ユーザー端末からの登録要求が拒否された禁止ＰＬＭＮのリスト（または禁止ＰＬＭＮリストと称される）を保持する。即ち、ユーザー端末は、リスト内のＰＬＭＮにアクセスし、通常のサービスを得ることを禁止される。禁止ＰＬＭＮリストにより、ユーザー端末は、ＰＬＭＮ選択手順、セル選択／再選択手順、及び／またはハンドオーバー手順を実行する時に禁止ＰＬＭＮを選択することを避けることができる。
【発明の概要】
【発明が解決しようとする課題】
【０００４】
等価公衆陸上移動体ネットワーク（ＰＬＭＮ）リストを処理する装置及び方法を提供する。
【課題を解決するための手段】
【０００５】  よって、本発明の実施形態は、等価公衆陸上移動体ネットワーク（ＰＬＭＮ）のリストを処理する装置及び方法を提供する。本発明の１つの態様では、無線モジュール及び制御モジュールを有する移動通信装置が提供される。無線モジュールは、サービスネットワークとの無線送信及び受信を実行する。制御モジュールは、前記移動通信装置が緊急ベアラサービスのためのパケットデータネットワーク接続をせずに前記サービスネットワークにアタッチされるときは、互いに等価のＰＬＭＮのリストを取得し、前記移動通信装置が再起動後に禁止ＰＬＭＮを選択しないように、禁止ＰＬＭＮリストに存在する任意のＰＬＭＮを、前記互いに等価のＰＬＭＮのリストを保存する前に当該互いに等価ＰＬＭＮのリストから除去し、前記移動無線装置が緊急ベアラサービスのために前記サービスネットワークにアタッチされるときは、前記互いに等価のＰＬＭＮのリストを取得し、前記移動通信装置の電源オフに応じて前記互いに等価のＰＬＭＮのリストを保存しないように、動作可能である。【０００６】  それに対応して、移動通信装置によって等価ＰＬＭＮリストを処理する方法が提供される。前記方法は、前記移動通信装置が緊急ベアラサービスのためのパケットデータネットワーク接続をせずにサービスネットワークにアタッチされるときは、互いに等価のＰＬＭＮのリストを取得し、前記移動通信装置が再起動後に禁止ＰＬＭＮを選択しないように、禁止ＰＬＭＮリストに存在する任意のＰＬＭＮを、前記互いに等価のＰＬＭＮのリストを保存する前に当該互いに等価ＰＬＭＮのリストから除去し、前記移動無線装置が緊急ベアラサービスのために前記サービスネットワークにアタッチされるときは、前記互いに等価のＰＬＭＮのリストを取得し、前記移動通信装置の電源オフに応じて前記互いに等価のＰＬＭＮのリストを保存しない。【０００７】
本発明の他の態様及び特徴は、緊急及び非緊急サービスに用いるＰＬＭＮ選択を処理する装置と方法の特定の実施の形態の以下の説明を検討後は当業者により明白となるであろう。
本発明は、添付の図面と併せて後に続く詳細な説明と実施例を解釈することによって、より完全に理解されることができる。
【図面の簡単な説明】
【０００８】
【図１】本発明の実施形態に基づく移動通信環境を示すブロック図である。
【図２】本発明の実施形態に基づく移動通信装置１１０の電源オフ中の等価ＰＬＭＮリストの処理を示すメッセージシーケンス図である。
【図３】本発明の実施形態に基づく移動通信装置１１０の電源オフ中の等価ＰＬＭＮリストの処理を示すメッセージシーケンス図である。
【図４】本発明の実施形態に基づく緊急ベアラサービスのＰＤＮ接続が解放された時の等価ＰＬＭＮリストの処理を示すメッセージシーケンス図である。
【図５】本発明のもう１つの実施形態に基づく緊急ベアラサービスのＰＤＮ接続が解放された時の等価ＰＬＭＮリストの処理を示すメッセージシーケンス図である。
【図６】本発明のもう１つの実施形態に基づく移動通信装置１１０の電源オフ中の等価ＰＬＭＮリストの処理を示すメッセージシーケンス図である。
【図７】本発明のまたもう１つの実施形態に基づく移動通信装置１１０の電源オフ中の等価ＰＬＭＮリストの処理を示すメッセージシーケンス図である。
【図８】本発明の実施形態に基づく等価ＰＬＭＮリストの処理方法を示す流れ図である。
【図９】本発明のもう１つの実施形態に基づく等価ＰＬＭＮリストの処理方法を示す流れ図である。
【図１０】本発明のまたもう１つの実施形態に基づく等価ＰＬＭＮリストの処理方法を示す流れ図である。
【図１１】本発明のまたもう１つの実施形態に基づく等価ＰＬＭＮリストの処理方法を示す流れ図である。
【発明を実施するための形態】
【０００９】
以下の説明は、本発明を実施するベストモードが開示されている。この説明は、本発明の一般原理を例示する目的のためのもので本発明を限定するものではない。ここに記述する３ＧＰＰ仕様書は、本発明の精神を教示するために用いられるものであり、本発明はこれを限定するものではない。
【００１０】
等価ＰＬＭＮリストを受信した時、ユーザー端末が緊急ベアラサービスのパケットデータネットワーク（ＰＤＮ）接続を有さない場合、ユーザー端末は、等価ＰＬＭＮリストを保存する前に、等価ＰＬＭＮリストから禁止ＰＬＭＮリストに存在する任意のＰＬＭＮを除去するため、ユーザー端末は、再起動後、ＰＬＭＮ選択手順で禁止ＰＬＭＮを選択しない。しかしながら、等価ＰＬＭＮリストを受信した時に、ユーザー端末が緊急ベアラサービスのパケットデータネットワーク接続を有する状況があり、仕様ＴＳ２４．００８、ＴＳ２４．３０１、ＴＳ２３．１２２に基づくと、ユーザー端末は、等価ＰＬＭＮリストを保存する前に、等価ＰＬＭＮリストから禁止ＰＬＭＮリストに存在する任意のＰＬＭＮを除去しない。よって、ユーザー端末は、再起動後、ＰＬＭＮ選択手順で等価ＰＬＭＮリストによって禁止されたＰＬＭＮを選択する可能性があり、余分な時間は、ユーザー端末が禁止ＰＬＭＮによって最終的に拒否されるため、ユーザー端末が通常のサービスを得る前に消費される可能性がある。
【００１１】
この問題を解決するために、本発明は、等価ＰＬＭＮリストを正確に処理する方法を提供し、ユーザー端末がＰＬＭＮ選択手順で禁止ＰＬＭＮを選択することを避けることができる。図１は、本発明の実施形態に基づく移動通信環境を示すブロック図である。移動通信環境１００では、移動通信装置１１０は、サービスネットワーク１２０または１３０に選択的に接続（register with）し、無線サービスを得る。具体的に言えば、サービスネットワーク１２０及び１３０は、２つの異なるＰＬＭＮに属する。１つの実施形態では、サービスネットワーク１２０及び１３０は、２つのＬＴＥシステムでもよく、もう１つの実施形態では、サービスネットワーク１２０及び１３０は、２つのＷＣＤＭＡシステムでもよい。サービスネットワーク１２０及び１３０のそれぞれは、移動通信装置１１０との無線送信及び受信を実行する少なくとも１つのアクセスノード、及び少なくとも１つのアクセスノードの動作を制御する制御ノードを含み、制御ノードは、コアネットワークに更に接続される。移動通信装置１１０は、サービスネットワーク１２０及び／または１３０との無線送信及び受信の機能を実行するための無線モジュール１１１を有する。更に明確に言えば、無線モジュール１１１は、ベースバンドユニット（図示されていない）及び無線周波数（ＲＦ）ユニット（図示されていない）を含み得る。ベースバンドユニットは、アナログデジタル変換（ＡＤＣ）／デジタルアナログ変換（ＤＡＣ）、利得調整、変調／復調、符号化／復号化などを含むベースバンド信号処理を実行する複数のハードウェア装置を含み得る。ＲＦユニットは、ＲＦ無線信号を受信し、受信したＲＦ無線信号をベースバンドユニットによって処理されたベースバンド信号に変換するか、またはベースバンドユニットからベースバンド信号を受信し、受信したベースバンド信号を後に送信されるＲＦ無線信号に変換する。ＲＦユニットは、無線周波数の変換を実行する複数のハードウェア装置も含み得る。例えば、ＲＦユニットは、ベースバンド信号と移動通信システムの無線周波数で振動したキャリアとを乗算するミキサを含んでもよく、無線周波数は、ＷＣＤＭＡシステムに用いられる９００ＭＨｚ、１９００ＭＨｚまたは２１００ＭＨｚでもよく、ＬＴＥまたはＬＴＥ−Ａｄｖａｎｃｅｄで用いられる９００ＭＨｚ、２１００ＭＨｚまたは２．６ＧＨｚでもよく、または、用いられている無線アクセス技術（ＲＡＴ）によって決まる他の周波数でもよい。また、移動通信装置１１０は、無線モジュール１１１及び他の機能要素、例えばディスプレイユニット及び／またはマンマシーンインターフェース（ＭＭＩ）として機能するキーパッド、アプリケーションのプログラムコードまたは通信プロトコルを保存する保存ユニットなどの動作を制御する制御モジュール１１２を有する。
【００１２】
更に具体的に言えば、制御モジュール１１２は、無線モジュール１１１を制御し、アタッチ手順及びルーティングエリアアップデート手順の間、等価ＰＬＭＮリストを処理する。図２は、本発明の実施形態に基づく移動通信装置１１０の電源オフ中の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、サービスネットワーク１２０との登録を試みる（ステップＳ２０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ２０２）。もう１つの実施形態では、アタッチ拒否メッセージの拒否原因は、“ＧＰＲＳサービスの禁止ＰＬＭＮ（forbidden PLMNs for GPRS service）”または“このＰＬＭＮで不許可とされたＧＰＲＳサービス（GPRS services not allowed in this PLMN）”であり得る。アタッチ拒否メッセージに応じて、移動通信装置１１０は、サービスネットワーク１２０が属するＰＬＭＮを禁止ＰＬＭＮリストに加える（ステップＳ２０３）。後で、ユーザーが緊急ベアラサービス、例えば、ＩＰマルチメディアサブシステム（ＩＭＳ）の緊急通話を開始したい時、移動通信装置１１０は、アタッチ要求メッセージを送信することによって、緊急ベアラサービスのサービスネットワーク１２０との登録を試みる（ステップＳ２０４）。アタッチ要求メッセージは、送信されて、ＰＤＮ接続要求（ＰＤＮ  ＣＯＮＮＥＣＴＩＶＩＴＹ  ＲＥＱＵＥＳＴ）メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、等価ＰＬＭＮリストを含むアタッチ受付メッセージを移動通信装置１１０に返信する（ステップＳ２０５）。アタッチ受付メッセージは、ＰＤＮ接続要求メッセージがアタッチ要求メッセージに見つかった場合、送信されて、アクティブデフォルトＥＰＳベアラのコンテキスト要求（ＡＣＴＩＶＡＴＥ  ＤＥＦＡＵＬＴ  ＥＰＳ  ＢＥＡＲＥＲ  ＣＯＮＴＥＸＴ  ＲＥＱＵＥＳＴ）メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、等価ＰＬＭＮリストを得て、サービスネットワーク１２０が属するＰＬＭＮを等価ＰＬＭＮリストに加える（ステップＳ２０６）。次いで、移動通信装置１１０は、アタッチ完了メッセージをサービスネットワーク１２０に送信し、アタッチ受付メッセージを受信したことを知らせる（ステップＳ２０７）。具体的に言えば、等価ＰＬＭＮリストは、少なくともサービスネットワーク１２０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。次に、緊急ベアラサービスが既に必要でないことをユーザーが決定し、移動通信装置１１０の電源オフボタン（図示されていない）を押した時、移動通信装置１１０は、“スイッチオフ”のデタッチタイプを示すデタッチ要求メッセージをサービスネットワーク１２０に伝送し、サービスネットワーク１２０からデタッチし（ステップＳ２０８）、次いで等価ＰＬＭＮリストが禁止ＰＬＭＮリストに存在するＰＬＭＮのいずれか１つを含むかどうかを決定する。サービスネットワーク１２０が属するＰＬＭＮが禁止ＰＬＭＮリスト及び等価ＰＬＭＮリストにあるため、移動通信装置１１０は、禁止ＰＬＭＮ、即ちサービスネットワーク１２０が属するＰＬＭＮを等価ＰＬＭＮリストから除去し、電源オフになる前に、等価ＰＬＭＮリスト及び禁止ＰＬＭＮリストを保存する（ステップＳ２０９）。
【００１３】
次いで、移動通信装置１１０がオンにされた時、等価ＰＬＭＮリストを検索し、リストからＰＬＭＮを選択して登録し、通常のサービスを行う。サービスネットワーク１２０が属するＰＬＭＮは、等価ＰＬＭＮリストから除去され、等価ＰＬＭＮリストは、サービスネットワーク１３０が属するＰＬＭＮを含むため、移動通信装置１１０は、アタッチ要求メッセージを送信することで、サービスネットワーク１３０との登録を試み、通常のサービスを得る（ステップＳ２１０）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ２１１）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、それがアタッチ受付メッセージを受信したことを知らせる（ステップＳ２１２）。
【００１４】
図３は、本発明の実施形態に基づく移動通信装置１１０の電源オフ中の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、サービスネットワーク１２０との登録を試みる（ステップＳ３０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ３０２）。もう１つの実施形態では、アタッチ拒否メッセージの拒否原因は、“ＧＰＲＳサービスの禁止ＰＬＭＮ”または“このＰＬＭＮで不許可とされたＧＰＲＳサービス”であり得る。アタッチ拒否メッセージに応じて、移動通信装置１１０は、サービスネットワーク１２０が属するＰＬＭＮを禁止ＰＬＭＮリストに加える（ステップＳ３０３）。後で、ユーザーが緊急ベアラサービス、例えば、ＩＭＳの緊急通話を開始したい時、移動通信装置１１０は、アタッチ要求メッセージを送信することによって、緊急ベアラサービスのサービスネットワーク１２０との登録を試みる（ステップＳ３０４）。アタッチ要求メッセージは、送信されて、ＰＤＮ接続要求メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、アタッチ受付メッセージを移動通信装置１１０に返信する（ステップＳ３０５）。アタッチ受付メッセージは、ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、更に、アタッチ完了メッセージをサービスネットワーク１２０に送信し、アタッチ受付メッセージを受信したことを知らせる（ステップＳ３０６）。次いで、サービスネットワーク１２０が属するＰＬＭＮ内の１つのルーティンエリアからもう１つのルーティンエリアに移動通信装置１１０が移動した時、またはルーティングエリアアップデート手順の周期タイマーが時間切れ（expire）になった時、移動通信装置１１０は、ルーティングエリアアップデート要求メッセージをサービスネットワーク１２０に送信し、それが新しいルーティンエリアに移動されたことを知らせる（ステップＳ３０７）。ルーティングエリアアップデート要求メッセージを受信した時、サービスネットワーク１２０は、等価ＰＬＭＮリストを含むルーティングエリアアップデート受付メッセージを移動通信装置１１０に返信する（ステップＳ３０８）。ルーティングエリアアップデート受付メッセージに応じて、移動通信装置１１０は、等価ＰＬＭＮリストを得て、等価ＰＬＭＮリストにサービスネットワーク１２０が属するＰＬＭＮを加え（ステップＳ３０９）、次いでルーティングエリアアップデート完了メッセージをサービスネットワーク１２０に送信し、それがルーティングエリアアップデート受付メッセージを受信したことを知らせる（ステップＳ３１０）。具体的に言えば、等価ＰＬＭＮリストは、少なくともサービスネットワーク１３０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。
【００１５】
次に、緊急ベアラサービスが既に必要でないことをユーザーが決定し、移動通信装置１１０の電源オフボタン（図示されていない）を押した時、移動通信装置１１０は、“スイッチオフ”のデタッチタイプを示すデタッチ要求メッセージをサービスネットワーク１２０に伝送し、サービスネットワーク１２０からデタッチし（ステップＳ３１１）、次いで電源オフになる前に、等価ＰＬＭＮリスト及び禁止ＰＬＭＮリストを保存する（ステップＳ３１２）。その後、移動通信装置１１０が再度オンにされた時、等価ＰＬＭＮリスト及び禁止ＰＬＭＮリストを検索し、等価ＰＬＭＮリストが禁止ＰＬＭＮリストに存在するＰＬＭＮのいずれか１つを含むかどうかを決定する。サービスネットワーク１２０が属するＰＬＭＮが禁止ＰＬＭＮリスト及び等価ＰＬＭＮリストにあるため、移動通信装置１１０は、禁止ＰＬＭＮ、即ちサービスネットワーク１２０が属するＰＬＭＮを等価ＰＬＭＮリストから除去し（ステップＳ３１３）、リストからＰＬＭＮを選択して登録し、通常のサービスを行う。サービスネットワーク１２０が属するＰＬＭＮは、等価ＰＬＭＮリストから除去され、等価ＰＬＭＮリストは、サービスネットワーク１３０が属するＰＬＭＮを含むため、移動通信装置１１０は、アタッチ要求メッセージを送信することで、サービスネットワーク１３０との登録を試み、通常のサービスを得る（ステップＳ３１４）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ３１５）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、アタッチ受付メッセージを受信したことを知らせる（ステップＳ３１６）。
【００１６】
図４は、本発明の実施形態に基づく緊急ベアラサービスのＰＤＮ接続が解放された時の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、サービスネットワーク１２０との登録を試みる（ステップＳ４０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ４０２）。もう１つの実施形態では、アタッチ拒否メッセージの拒否原因は、“ＧＰＲＳサービスの禁止ＰＬＭＮ”または“このＰＬＭＮで不許可とされたＧＰＲＳサービス”であり得る。アタッチ拒否メッセージに応じて、移動通信装置１１０は、サービスネットワーク１２０が属するＰＬＭＮを禁止ＰＬＭＮリストに加える（ステップＳ４０３）。後で、ユーザーが緊急ベアラサービス、例えば、ＩＭＳの緊急通話を開始したい時、移動通信装置１１０は、アタッチ要求メッセージを送信することによって、緊急ベアラサービスのサービスネットワーク１２０との登録を試みる（ステップＳ４０４）。アタッチ要求メッセージは、送信されて、ＰＤＮ接続要求メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、等価ＰＬＭＮリストを含むアタッチ受付メッセージを移動通信装置１１０に返信する（ステップＳ４０５）。アタッチ受付メッセージは、ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、等価ＰＬＭＮリストを得て、等価ＰＬＭＮリストにサービスネットワーク１２０が属するＰＬＭＮを加え（ステップＳ４０６）、次いで、移動通信装置１１０は、アタッチ完了メッセージをサービスネットワーク１２０に送信し、アタッチ受付メッセージを受信したことを知らせる（ステップＳ４０７）。具体的に言えば、等価ＰＬＭＮリストは、少なくともサービスネットワーク１３０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。次いで、サービスネットワーク１２０が緊急ベアラサービスを終了することを決定した時、“再アタッチ不要（re-attach not required）”のデタッチタイプを示すデタッチ要求メッセージを移動通信装置１１０に伝送する（ステップＳ４０８）。デタッチ要求メッセージを受信した時、移動通信装置１１０は、緊急ベアラサービスのＰＤＮ接続の確立された無線リソースを解放し、デタッチ受付メッセージをサービスネットワーク１２０に返信する（ステップＳ４０９）。緊急ベアラサービスのＰＤＮ接続の解放に応じ、移動通信装置１１０は、等価ＰＬＭＮリストが等価ＰＬＭＮリストを保存する前に禁止ＰＬＭＮリストに存在するＰＬＭＮのいずれか１つを含むかどうかを決定する。具体的に言えば、サービスネットワーク１２０が属するＰＬＭＮが禁止ＰＬＭＮリスト及び等価ＰＬＭＮリストにあるため、移動通信装置１１０は、禁止ＰＬＭＮ、即ちサービスネットワーク１２０が属するＰＬＭＮを等価ＰＬＭＮリストから除去する（ステップＳ４１０）。移動通信装置１１０がオフにされた時、アップデートされた等価ＰＬＭＮリスト及び禁止ＰＬＭＮリストは保存される（ステップＳ４１１）。
【００１７】
移動通信装置１１０は、再起動された後、等価ＰＬＭＮリストを検索し、リストからＰＬＭＮを選択して登録し、通常のサービスを行う。サービスネットワーク１２０が属するＰＬＭＮは、等価ＰＬＭＮリストから除去され、等価ＰＬＭＮリストは、サービスネットワーク１２０が属するＰＬＭＮを含むため、移動通信装置１１０は、アタッチ要求メッセージを送信することで、サービスネットワーク１３０との登録を試み、通常のサービスを得る（ステップＳ４１２）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、アタッチ要求メッセージをした時受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ４１３）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、アタッチ受付メッセージを受信したことを知らせる（ステップＳ４１４）。
【００１８】
図５は、本発明のもう１つの実施形態に基づく緊急ベアラサービスのＰＤＮ接続が解放された時の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、通常のサービスのサービスネットワーク１２０との登録を試みる（ステップＳ５０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ５０２）。もう１つの実施形態では、アタッチ拒否メッセージの拒否原因は、“ＧＰＲＳサービスの禁止ＰＬＭＮ”または“このＰＬＭＮで不許可とされたＧＰＲＳサービス”であり得る。アタッチ拒否メッセージに応じて、移動通信装置１１０は、サービスネットワーク１２０が属するＰＬＭＮを禁止ＰＬＭＮリストに加える（ステップＳ５０３）。後で、ユーザーが緊急ベアラサービス、例えば、ＩＭＳの緊急通話を開始したい時、移動通信装置１１０は、アタッチ要求メッセージを送信することによって、緊急ベアラサービスのサービスネットワーク１２０との登録を試みる（ステップＳ５０４）。アタッチ要求メッセージは、送信されて、ＰＤＮ接続要求メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、アタッチ受付メッセージを移動通信装置１１０に返信する（ステップＳ５０５）。アタッチ受付メッセージは、ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、更に、アタッチ完了メッセージをサービスネットワーク１２０に送信し、アタッチ受付メッセージを受信したことを知らせる（ステップＳ５０６）。次いで、サービスネットワーク１２０が属するＰＬＭＮ内の１つのルーティンエリアからもう１つのルーティンエリアに移動通信装置１１０が移動した時、またはルーティングエリアアップデート手順の周期タイマーが時間切れ（expire）になった時、移動通信装置１１０は、ルーティングエリアアップデート要求メッセージをサービスネットワーク１２０に送信し、それが新しいルーティンエリアに移動されたことを知らせる（ステップＳ５０７）。ルーティングエリアアップデート要求メッセージを受信した時、サービスネットワーク１２０は、等価ＰＬＭＮリストを含むルーティングエリアアップデート受付メッセージを移動通信装置１１０に返信する（ステップＳ５０８）。ルーティングエリアアップデート受付メッセージに応じて、移動通信装置１１０は、等価ＰＬＭＮリストを得て、等価ＰＬＭＮリストにサービスネットワーク１２０が属するＰＬＭＮを加え（ステップＳ５０９）、次いでルーティングエリアアップデート完了メッセージをサービスネットワーク１２０に送信し、それがルーティングエリアアップデート受付メッセージを受信したことを知らせる（ステップＳ５１０）。具体的に言えば、等価ＰＬＭＮリストは、少なくともサービスネットワーク１３０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。
【００１９】
次いで、サービスネットワーク１２０が緊急ベアラサービスを終了することを決めた時、“再アタッチ不要（re-attach not required）”のデタッチタイプを示すデタッチ要求メッセージを移動通信装置１１０に伝送する（ステップＳ５１１）。デタッチ要求メッセージを受信した時、移動通信装置１１０は、緊急ベアラサービスのＰＤＮ接続の確立された無線リソースを解放し、デタッチ受付メッセージをサービスネットワーク１２０に返信する（ステップＳ５１２）。緊急ベアラサービスのＰＤＮ接続の解放に応じ、移動通信装置１１０は、等価ＰＬＭＮリストが等価ＰＬＭＮリストを保存する前に禁止ＰＬＭＮリストに存在するＰＬＭＮのいずれか１つを含むかどうかを決定する。具体的に言えば、サービスネットワーク１２０が属するＰＬＭＮが禁止ＰＬＭＮリスト及び等価ＰＬＭＮリストにあるため、移動通信装置１１０は、禁止ＰＬＭＮ、即ちサービスネットワーク１２０が属するＰＬＭＮを等価ＰＬＭＮリストから除去する（ステップＳ５１３）。移動通信装置１１０がオフにされた時、アップデートされた等価ＰＬＭＮリスト及び禁止ＰＬＭＮリストは保存される（ステップＳ５１４）。
【００２０】
移動通信装置１１０は、再起動された後、等価ＰＬＭＮリストを検索し、リストからＰＬＭＮを選択して登録し、通常のサービスを行う。サービスネットワーク１２０が属するＰＬＭＮは、等価ＰＬＭＮリストから除去され、等価ＰＬＭＮリストは、サービスネットワーク１２０が属するＰＬＭＮを含むため、移動通信装置１１０は、アタッチ要求メッセージを送信することで、サービスネットワーク１３０との登録を試み、通常のサービスを得る（ステップＳ５１５）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ５１６）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、アタッチ受付メッセージを受信したことを知らせる（ステップＳ５１７）。
【００２１】
他の選択肢として、図４のステップＳ４１１及び図５のステップＳ５１４では、移動通信装置１１０は、移動通信装置１１０の電源オフに応じて等価ＰＬＭＮリストを保存しないことができる。即ち、移動通信装置１１０は、移動通信装置１１０の電源オフの前に禁止ＰＬＭＮリストのみを保存する。緊急ベアラサービスのＰＤＮ接続中に受信した、禁止ＰＬＭＮリストに存在するＰＬＭＮを含み得る等価ＰＬＭＮリストは、移動通信装置１１０がオフになる前に保存されないため、移動通信装置１１０は、後に再起動された時、通常のサービスのＰＤＮ接続中に事前に受信し、禁止ＰＬＭＮリストに存在するどのＰＬＭＮも含まない等価ＰＬＭＮリストを、後に続くＰＬＭＮ選択手順に用いることとなる。
【００２２】
図６は、本発明のもう１つの実施形態に基づく移動通信装置１１０の電源オフ中の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、通常のサービスのサービスネットワーク１２０との登録を試みる（ステップＳ６０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ６０２）。もう１つの実施形態では、アタッチ拒否メッセージの拒否原因は、“ＧＰＲＳサービスの禁止ＰＬＭＮ”または“このＰＬＭＮで不許可とされたＧＰＲＳサービス”であり得る。アタッチ拒否メッセージに応じて、移動通信装置１１０は、サービスネットワーク１２０が属するＰＬＭＮを禁止ＰＬＭＮリストに加える（ステップＳ６０３）。後で、ユーザーが緊急ベアラサービス、例えば、ＩＭＳの緊急通話を開始したい時、移動通信装置１１０は、アタッチ要求メッセージを送信することによって、緊急ベアラサービスのサービスネットワーク１２０との登録を試みる（ステップＳ６０４）。アタッチ要求メッセージは、送信されて、ＰＤＮ接続要求メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、アタッチ受付メッセージを移動通信装置１１０に返信する（ステップＳ６０５）。アタッチ受付メッセージは、ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、等価ＰＬＭＮリストを得て、サービスネットワーク１２０が属するＰＬＭＮを等価ＰＬＭＮリストに加える（ステップＳ６０６）。次いで、アタッチ完了メッセージをサービスネットワーク１２０に送信し、アタッチ受付メッセージを受信したことを知らせる（ステップＳ６０７）。具体的に言えば、等価ＰＬＭＮリストは、少なくともサービスネットワーク１３０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。次に、緊急ベアラサービスが既に必要でないことをユーザーが決定し、移動通信装置１１０の電源オフボタン（図示されていない）を押した時、移動通信装置１１０は、“スイッチオフ”のデタッチタイプを示すデタッチ要求メッセージをサービスネットワーク１２０に伝送し、サービスネットワーク１２０からデタッチし（ステップＳ６０８）、次いで電源オフになる前に、等価ＰＬＭＮリスト及び禁止ＰＬＭＮリストを保存する（ステップＳ６０９）。
【００２３】
次いで、移動通信装置１１０は、再度オンにされた時、ＰＬＭＮ選択手順で等価ＰＬＭＮリスト及び禁止ＰＬＭＮリストを検索し、ＰＬＭＮ選択手順のために、禁止ＰＬＭＮリストに存在するＰＬＭＮを等価ＰＬＭＮリストから除去する（ステップＳ６１０）。具体的に言えば、移動通信装置１１０は、等価ＰＬＭＮリストが禁止ＰＬＭＮリストに存在するＰＬＭＮのいずれか１つを含むかどうかを決定し、次いで禁止ＰＬＭＮリストに存在するＰＬＭＮを選択することを避ける。等価ＰＬＭＮリストは、サービスネットワーク１２０が属するＰＬＭＮ以外のサービスネットワーク１３０が属するＰＬＭＮのみを含むため、移動通信装置１１０は、サービスネットワーク１３０が属するＰＬＭＮを選択して、アタッチ要求メッセージを送信することで、サービスネットワーク１３０に登録し、通常のサービスを得る（ステップＳ６１１）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ６１２）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、アタッチ受付メッセージを受信したことを知らせる（ステップＳ６１３）。
【００２４】
図７は、本発明のまたもう１つの実施形態に基づく移動通信装置１１０の電源オフ中の等価ＰＬＭＮリストの処理を示すメッセージシーケンス図である。この実施形態では、電源がオンにされた後、移動通信装置１１０は、最初は、サービスネットワーク１２０の信号品質がサービスネットワーク１２０を登録するには十分によいが、サービスネットワーク１３０の信号品質がサービスネットワーク１３０を登録するのに悪すぎる位置にある。移動通信装置１１０は、始めにアタッチ要求メッセージを送信することによって、サービスネットワーク１２０との登録を試みる（ステップＳ７０１）。アタッチ要求メッセージを受信した時、サービスネットワーク１２０は、サービスネットワーク１２０が属するＰＬＭＮに移動通信装置１１０がアクセスを許可されないため、登録要求を拒否することを決定し、次いで、“ＰＬＭＮ不許可”を示す拒否原因を含むアタッチ拒否メッセージを移動通信装置１１０に返信する（ステップＳ７０２）。もう１つの実施形態では、アタッチ拒否メッセージの拒否原因は、“ＧＰＲＳサービスの禁止ＰＬＭＮ”または“このＰＬＭＮで不許可とされたＧＰＲＳサービス”であり得る。アタッチ拒否メッセージに応じて、移動通信装置１１０は、サービスネットワーク１２０が属するＰＬＭＮを禁止ＰＬＭＮリストに加える（ステップＳ７０３）。後で、ユーザーが緊急ベアラサービス、例えば、ＩＭＳの緊急通話を開始したい時、移動通信装置１１０は、アタッチ要求メッセージを送信することによって、緊急ベアラサービスのサービスネットワーク１２０との登録を試みる（ステップＳ７０４）。アタッチ要求メッセージは、送信されて、ＰＤＮ接続要求メッセージと結合され、ユーザー端末がサービスネットワーク１２０とパケットデータセッションを開始したいことを示すことができる。移動通信装置１１０によって要求されたサービスのタイプは、緊急ベアラサービスであるため、サービスネットワーク１２０は、登録要求を受付け、アタッチ受付メッセージを移動通信装置１１０に返信する（ステップＳ７０５）。アタッチ受付メッセージは、ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、更に、アタッチ完了メッセージをサービスネットワーク１２０に送信し、アタッチ受付メッセージを受信したことを知らせる（ステップＳ７０６）。次いで、サービスネットワーク１２０が属するＰＬＭＮ内の１つのルーティンエリアからもう１つのルーティンエリアに移動通信装置１１０が移動した時、またはルーティングエリアアップデート手順の周期タイマーが時間切れ（expire）になった時、移動通信装置１１０は、ルーティングエリアアップデート要求メッセージをサービスネットワーク１２０に送信し、それが新しいルーティンエリアに移動されたことを知らせる（ステップＳ７０７）。ルーティングエリアアップデート要求メッセージを受信した時、サービスネットワーク１２０は、等価ＰＬＭＮリストを含むルーティングエリアアップデート受付メッセージを移動通信装置１１０に返信する（ステップＳ７０８）。ルーティングエリアアップデート受付メッセージに応じて、移動通信装置１１０は、等価ＰＬＭＮリストを得て、等価ＰＬＭＮリストにサービスネットワーク１２０が属するＰＬＭＮを加え（ステップＳ７０９）、次いでルーティングエリアアップデート完了メッセージをサービスネットワーク１２０に送信し、それがルーティングエリアアップデート受付メッセージを受信したことを知らせる（ステップＳ７１０）。具体的に言えば、等価ＰＬＭＮリストは、少なくともサービスネットワーク１３０が属するＰＬＭＮを含む。他の実施形態では、等価ＰＬＭＮリストは、１つ以上のＰＬＭＮを含むことができ、移動通信装置１１０は、ＰＬＭＮ選択手順、セル選択／再選択手順、及び／またはハンドオーバー手順を実行する時に同等の優先順序で、このＰＬＭＮを処理しなければならない。
【００２５】
次に、緊急ベアラサービスが既に必要でないことをユーザーが決定し、移動通信装置１１０の電源オフボタン（図示されていない）を押した時、移動通信装置１１０は、“スイッチオフ”のデタッチタイプを示すデタッチ要求メッセージをサービスネットワーク１２０に伝送し、サービスネットワーク１２０からデタッチし（ステップＳ７１１）、次いで電源オフになる前に、等価ＰＬＭＮリスト及び禁止ＰＬＭＮリストを保存する（ステップＳ７１２）。次いで、移動通信装置１１０は、再度オンにされた時、等価ＰＬＭＮリスト及び禁止ＰＬＭＮリストを検索し、ＰＬＭＮ選択手順のために、禁止ＰＬＭＮリストに存在するＰＬＭＮを等価ＰＬＭＮリストから除去する（ステップＳ７１３）。具体的に言えば、移動通信装置１１０は、等価ＰＬＭＮリストが禁止ＰＬＭＮリストに存在するＰＬＭＮのいずれか１つを含むかどうかを決定し、次いで禁止ＰＬＭＮリストに存在するＰＬＭＮを選択することを避ける。等価ＰＬＭＮリストは、サービスネットワーク１２０が属するＰＬＭＮ以外のサービスネットワーク１３０が属するＰＬＭＮのみを含むため、移動通信装置１１０は、サービスネットワーク１３０が属するＰＬＭＮを選択して、アタッチ要求メッセージを送信することで、サービスネットワーク１３０に登録し、通常のサービスを得る（ステップＳ７１４）。アタッチ要求メッセージは、送信されて、ＰＤＮ接続要求メッセージと結合され、ユーザー端末がサービスネットワーク１３０とパケットデータセッションを開始したいことを示すことができる。アタッチ要求メッセージを受信した時、サービスネットワーク１３０は、移動通信装置１１０がサービスネットワーク１３０にアクセスを許可される登録要求を受付けることを決定し、次いで、アタッチ受付メッセージを移動通信装置１１０に返信する（ステップＳ７１５）。ＰＤＮ接続要求メッセージがアタッチ要求メッセージに見つかった場合、送信されて、アクティブデフォルトＥＰＳベアラのコンテキスト要求メッセージと結合される。アクティブデフォルトＥＰＳベアラのコンテキスト要求メッセージは、パケットデータセッションのデフォルトベアラを起動するのに用いられる。アタッチ受付メッセージに応じて、移動通信装置１１０は、アタッチ完了メッセージをサービスネットワーク１３０に送信し、アタッチ受付メッセージを受信したことを知らせる（ステップＳ７１６）。
【００２６】
図８は、本発明の実施形態に基づく等価ＰＬＭＮリストの処理方法を示す流れ図である。この実施形態では、等価ＰＬＭＮリストの処理方法は、ＷＣＤＭＡ技術、ＬＴＥ技術、及びＬＴＥ−Ａｄｖａｎｃｅｄ技術のどんな組み合わせもサポートする、どんな移動通信装置にも用いられ得る。まず、移動通信装置は、サービスネットワークにアタッチされて緊急ベアラサービスを行う時、互いに等価のＰＬＭＮのリスト、即ち等価ＰＬＭＮリストを得る（ステップＳ８１０）。１つの実施形態では、等価ＰＬＭＮリストは、アタッチ手順中、サービスネットワークからのアタッチ受付メッセージから得られることができ、もう１つの実施形態では、等価ＰＬＭＮリストは、ルーティンエリアアップデート手順中、サービスネットワークからのルーティンエリアアップデート受付メッセージから得られることができる。次に、移動通信装置の電源オンまたは電源オフに応じて、移動通信装置は、ＰＬＭＮの少なくとも１つが通常のサービスを得ることを禁止されるかどうかを決定し（ステップＳ８２０）、禁止される場合、禁止ＰＬＭＮをリストから除去する（ステップＳ８３０）。１つの実施形態では、オフにされる前に、移動通信装置は、まずサービスネットワークからデタッチされることができ、もう１つの実施形態では、移動通信装置は、電源オフにされたことに応じてサービスネットワークからデタッチされることができる。特に、移動通信装置は、ステップＳ８２０の前、またはステップＳ８３０の後にサービスネットワークからデタッチされる。禁止ＰＬＭＮは、等価ＰＬＭＮリストから除去されるため、移動通信装置は、電源オフにされる前にアップデートされた等価ＰＬＭＮリストを保存することができる。よって、移動通信装置が再起動された後、後に続くＰＬＭＮ選択手順、セル選択／再選択手順、及び／またはハンドオーバー手順を実行する時に、等価ＰＬＭＮリストから禁止ＰＬＭＮを選択するのを避けることができる。
【００２７】
図９は、本発明のもう１つの実施形態に基づく等価ＰＬＭＮリストの処理方法を示す流れ図である。図８と同様に、等価ＰＬＭＮリストの処理方法は、ＷＣＤＭＡ技術、ＬＴＥ技術、及びＬＴＥ−Ａｄｖａｎｃｅｄ技術のどんな組み合わせもサポートする、どんな移動通信装置にも用いられ得る。まず、移動通信装置は、サービスネットワークにアタッチされて緊急ベアラサービスを行う時、互いに等価のＰＬＭＮのリスト、即ち等価ＰＬＭＮリストを得る（ステップＳ９１０）。１つの実施形態では、等価ＰＬＭＮリストは、アタッチ手順中、サービスネットワークからのアタッチ受付メッセージから得られることができ、もう１つの実施形態では、等価ＰＬＭＮリストは、ルーティンエリアアップデート手順中、サービスネットワークからのルーティンエリアアップデート受付メッセージから得られることができる。次に、サービスネットワークからデタッチがなされて緊急ベアラサービスを終了することに応じて、移動通信装置は、ＰＬＭＮの少なくとも１つが通常のサービスを得ることを禁止されるかどうかを決定し（ステップＳ９２０）、禁止される場合、禁止ＰＬＭＮをリストから除去する（ステップＳ９３０）。禁止ＰＬＭＮは、等価ＰＬＭＮリストから除去されるため、移動通信装置は、電源がオフにされる前にアップデートされた等価ＰＬＭＮリストを保存することができる。よって、移動通信装置が再起動された後、後に続くＰＬＭＮ選択手順、セル選択／再選択手順、及び／またはハンドオーバー手順を実行する時に、等価ＰＬＭＮリストから禁止ＰＬＭＮを選択するのを避けることができる。
【００２８】
図１０は、本発明のもう１つの実施形態に基づく等価ＰＬＭＮリストの処理方法を示す流れ図である。図８と同様に、等価ＰＬＭＮリストの処理方法は、ＷＣＤＭＡ技術、ＬＴＥ技術、及びＬＴＥ−Ａｄｖａｎｃｅｄ技術のどんな組み合わせもサポートする、どんな移動通信装置にも用いられ得る。まず、移動通信装置は、サービスネットワークにアタッチされて緊急ベアラサービスを行う時、互いに等価のＰＬＭＮのリスト、即ち等価ＰＬＭＮリストを得る（ステップＳ１０１０）。１つの実施形態では、等価ＰＬＭＮリストは、アタッチ手順中、サービスネットワークからのアタッチ受付メッセージから得られることができ、もう１つの実施形態では、等価ＰＬＭＮリストは、ルーティンエリアアップデート手順中、サービスネットワークからのルーティンエリアアップデート受付メッセージから得られることができる。次に、移動通信装置の電源オンに応じて、移動通信装置は、ＰＬＭＮの少なくとも１つが通常のサービスを得ることを禁止されるかどうかを決定し（ステップＳ１０２０）、禁止される場合、禁止ＰＬＭＮをリストから除去して、ＰＬＭＮ選択手順を行う（ステップＳ１０３０）。１つの実施形態では、移動通信装置は、禁止ＰＬＭＮをリストから除去して、セル選択／再選択手順及び／またはハンドオーバー手順も行い得る。よって、１つ以上の禁止ＰＬＭＮを含み得る等価ＰＬＭＮリストが移動通信装置の電源オフの前に保存されても、移動通信装置が再起動された後、後に続くＰＬＭＮ選択手順、セル選択／再選択手順、及び／またはハンドオーバー手順を実行する時に、等価ＰＬＭＮリストから禁止ＰＬＭＮを選択するのを避けることができる。
【００２９】
図１１は、本発明のもう１つの実施形態に基づく等価ＰＬＭＮリストの処理方法を示す流れ図である。図８と同様に、等価ＰＬＭＮリストの処理方法は、ＷＣＤＭＡ技術、ＬＴＥ技術、及びＬＴＥ−Ａｄｖａｎｃｅｄ技術のどんな組み合わせもサポートする、どんな移動通信装置にも用いられ得る。まず、移動通信装置は、サービスネットワークにアタッチされて緊急ベアラサービスを行う時、互いに等価のＰＬＭＮのリスト、即ち等価ＰＬＭＮリストを得る（ステップＳ１１１０）。１つの実施形態では、等価ＰＬＭＮリストは、アタッチ手順中、サービスネットワークからのアタッチ受付メッセージから得られることができ、もう１つの実施形態では、等価ＰＬＭＮリストは、ルーティンエリアアップデート手順中、サービスネットワークからのルーティンエリアアップデート受付メッセージから得られることができる。次に、移動通信装置の電源オフに応じて、移動通信装置は、リストを保存しない（ステップＳ１１２０）。１つの実施形態では、オフにされる前に、移動通信装置は、まずサービスネットワークからデタッチされる。よって、１つ以上の禁止ＰＬＭＮを含み得る等価ＰＬＭＮリストが移動通信装置の電源オフの前に保存されないため、移動通信装置は、移動通信装置が再起動された後、通常のサービスのＰＤＮ接続中に事前に受信し、いかなる禁止ＰＬＭＮも含まない等価ＰＬＭＮリストを、後に続くＰＬＭＮ選択手順、セル選択／再選択手順、及び／またはハンドオーバー手順の最中に用いることになる。
【００３０】
この発明は種々の態様を例として記述されているが、全ての態様において、これは本発明を限定するものではないことは理解される。本発明の精神及び範囲を逸脱しない限りにおいては、当業者であれば行い得る少々の変更や修飾を付加することが可能である。例えば、等価ＰＬＭＮリストの処理方法は、ＷＣＤＭＡ／ＬＴＥ技術の任意の進化技術に準拠しているモバイル通信デバイスにも用いられ得る。よって、本発明の範囲は、以下の請求項及びそれらの均等物によって定義されて保護されるものとする。
【符号の説明】
【００３１】
１００  移動通信環境
１１０  移動通信装置
１１１  無線モジュール
１１２  制御モジュール
１２０、１３０  サービスネットワーク
【図１】
0005483744.tif 000002
【図２】
0005483744.tif 000003
【図３】
0005483744.tif 000004
【図４】
0005483744.tif 000005
【図５】
0005483744.tif 000006
【図６】
0005483744.tif 000007
【図７】
0005483744.tif 000008
【図８】
0005483744.tif 000009
【図９】
0005483744.tif 000010
【図１０】
0005483744.tif 000011
【図１１】
0005483744.tif 000012